(57)【要約】【課題】嵌合式の即席食品容器の蓋体内に収納空間部を設けることによって、蓋体自体の剛性と、おもちゃなどの販促景品を収納する構造と、熱湯によるやけどを防止する構造とを備え、さらに包装時の食材の封入性と、熱湯調理時の容器本体と蓋体の再封性ならびに密封性を備える即席食品容器の提供を図る。【解決手段】即席麺などの食材を収納するテーパ状に形成される容器本体と、該容器本体に嵌合して納められる蓋体と、該容器本体と、蓋体と、を包装するフィルム包装体と、で構成される即席食品容器であって、前記蓋体は、上端部に鍔部を形成すると共に、下方に向かってテーパ状に縮形する収納空間部を有する筒状のテーパ嵌合壁と、該テーパ嵌合壁の内壁面に形成される蓋天板と、該蓋天板の周縁近くに設けられる通気孔を塞ぐ密封シールと、で構成される手段を採る。【選択図】図1
2011046450.tif 000002
【特許請求の範囲】
【請求項１】
即席麺などの食材を収納するテーパ状に形成される容器本体と、
該容器本体に嵌合して納められる蓋体と、
該容器本体と、蓋体と、を包装するフィルム包装体と、
で構成される即席食品容器であって、
前記蓋体は、上端部に鍔部を形成すると共に、
下方に向かってテーパ状に縮形する収納空間部を有する筒状のテーパ嵌合壁と、
該テーパ嵌合壁の内壁面に形成される蓋天板と、
該蓋天板の周縁近くに設けられる通気孔を塞ぐ密封シールと、
で構成されて成り、
前記蓋体を前記容器本体に嵌合させて押し込むことにより、
包装時の前記即席食品容器内に収容されている食材の封入性と、
熱湯調理時の前記容器本体と前記蓋体の再封性ならびに密封性と、
を備えることを特徴とする即席食品容器。
【請求項２】
前記通気孔が、複数の湯切り用孔で形成されることを特徴とする請求項１記載の即席食品容器。
【請求項３】
前記蓋体のテーパ嵌合壁の外周面にヒートシールラッカーを帯状に塗布し、
前記容器本体の内壁面に熱接着したことを特徴とする請求項１または請求項２記載の即席食品容器。
【請求項４】
前記蓋体の鍔部下面の周縁にヒートシールラッカーを帯状に塗布し、
前記容器本体の鍔部の上面に熱接着したことを特徴とする請求項１または請求項２の記載の即席食品容器。
【発明の詳細な説明】
【技術分野】
【０００１】
本発明は、嵌合式の即席食品容器の蓋体内に収納空間部を設けることによって、蓋体自体の剛性と、おもちゃなどの販促景品を収納する構造と、熱湯によるやけどを防止する構造とを備え、さらに包装時の食材の封入性と、熱湯調理時の容器本体と蓋体の再封性ならびに密封性を備える即席食品容器に関する。
【背景技術】
【０００２】
従来の即席食品容器の多くは、紙などの単層材料または、アルミ箔、紙、合成樹脂フィルムなどを組み合わせた多層材料で形成されている。例えば、ポリスチレン樹脂やポリプロピレン樹脂シートなどの単層シート材料を真空成形法などによりシート成形し、容器本体の開口部に係合させて嵌合する冠着型と、カップ開口縁部を紙、ポリエチレン、アルミ箔等の多層シートからなる蓋体にヒートシールラッカーを塗布してヒートシールするイージーヒール型とがある。
【０００３】
また、広義的な食品容器としては、紅茶缶やペンキ缶などの金属缶をテーパ状の金属蓋で嵌合させて密封する嵌合式の蓋缶が広く知られている。
【０００４】
しかしながら、上記の即席食品容器においては、下記に示す問題点を解決することが望まれるものである。
(a)イージーヒール型の蓋体は、一端、蓋を剥がすと再封性（リクローズ性）がないため、蓋体と容器本体の密封性が維持されないことから、熱湯調理中に蓋体が捲れ上がったり、一度食べ始めたら一挙に食べきらなければならない。
(b)アルミ箔などの金属成分が含まれる多層材料で形成される蓋体は、最終品質検査時において金属探知器に反応してしまうため、ヒートシール工程以降の金属探知検査体制が取れない。
(c)容器本体や蓋体の素材にアルミ箔や石油資源樹脂材料が使用されているため、即席食品容器の最終廃棄時には有害廃棄物処分となり、資源の有効利用が図れない。
(d)蓋体が真空成形法などによりシート成形されるため、複雑な金型の製作が必要となる。
(e)容器本体に溝や逆テーパ部などが形成されるため、複雑な金型の製作が必要となるため、即席食品容器の製造コストが高騰する。
(f)熱湯調理時や食事時に即席食品容器が転倒すると手や足にヤケドを負う危険性がある。
(g)熱湯調理された即席麺を容器本体から直接食した場合、高温のスープによって口や舌にヤケドを負う危険性がある。
(h) 即席食品容器の使用後におけるリサイクル利用がなされない。
(i) 即席食品容器の使用後は、容器本体と蓋体が家庭用のゴミとして出されるため、廃棄時の分別作業を必要とする。
(j) 再封性がない上に密封性が持続されないため、ドライブ中や車両内での携帯用食品容器として使用できない。
(k) キャップ状の膨出蓋体が、容器本体の上部に大きく突出して即席食品容器全体ならびに梱包容積を大きくする。
(&#8467;)金属缶のように嵌合による変形圧力に耐える剛性を有していない。
【０００５】
そこで、上記の問題点を解決しようとする冠着型の即席食品容器が提案されている。例えば、即席麺等を収納する容器本体と、その容器本体の開口部を覆い、冠着できる蓋とを備えた即席食品容器において、上記蓋中央部に容器本体との冠着時に注湯線以下の深さを有するスープ等の収納部が凹設された「スープ等の予備溶解部を備えた即席麺容器」（特許文献１参照）が提案され、公知技術となっている。しかしながら、該提案は、蓋の中央部にスープ等が収納される収納部が凹設されて蓋の有効活用がなされているものではあるが、蓋の構造が、容器本体に対して単に開口部を覆って冠着する構造であるため、上記(f)、(g)、(h) 、(i)、(ｊ)の問題点が指摘されるものである。
【０００６】
また、上記の問題点を解決しようとする冠着ならびに嵌合構造を有する即席食品容器の蓋体が提案されている。例えば、容器本体の鍔状部に嵌めこむための環状の凹入溝の内壁部に凹入溝内に向けて膨出する突出部を設けるとともに、凹入溝で囲まれる部分の所定箇所に凹入溝の深さ方向に張り出した膨出部を設け、この膨出部の端縁外表面を突出部の外表面に対向させた「即席食品容器の蓋体」（特許文献２参照）が提案され、公知技術となっている。しかしながら、該提案は、冠着ならびに勘合構造によって即席食品容器と蓋体を係合させて密封性を高めようとしているが、蓋の構造が、容器本体に対して単に開口部を覆って冠着する構造と、蓋体の突出部の外表面と即席食品容器の内表面が内側からの付勢力を要しない状態で当接する嵌合状態で形成されているため、上記(d) 、(f)、(g)、(h) 、(i)、(ｊ)の問題点が指摘されるものである。
【０００７】
また、上記の問題点を解決しようとする容器本体に嵌合溝を有する即席食品容器が提案されている。例えば、即席食品容器は、容器本体の開口の上縁近くの内側に周方向に嵌合溝を設けるとともに、この嵌合溝に、中程に折線を有し、周縁近くに摘みを設けた半円状の開閉部を有する紙を主材とする蓋体を嵌合した「即席食品容器」（特許文献３参照）が提案され、公知技術となっている。しかしながら、該提案は、即席食品容器に嵌合溝を設けて再封性と密封性と、容器の転倒による安全性を確保しているが、上記 (g)、(h) 、(i)の問題点が指摘されるものである。
【０００８】
また、上記の問題点を解決しようとするヒートシール構造と、嵌合構造とを有する容器蓋が提案されている。例えば、容器本体の開口フランジ部の上側面に被せて施蓋可能で、この容器蓋の蓋天板は薄板によって構成され、蓋天板の外周の一個の摘み片が形成され、蓋のほぼ中央部に折曲部が形成されてなる容器蓋において、蓋天板は容器本体開口部フランジ部の上側面に重なる蓋外周面と、この蓋外周面の内側に、容器本体の開口フランジ部の内側に沿って嵌合可能な下方に突き出た樹脂製突出部とが設けられ、この樹脂製突出部は、前記折曲部で不連続され、折曲部を挟んで対向する樹脂製突出部同士が前記折曲部に対して直角に設けられた樹脂製薄板によって繋がれてなり、この樹脂製突出部の外側面であって前記摘み片に近い部分に、容器本体の開口部内壁面に係止する係止部が形成された「容器蓋」（特許文献４参照）が提案され、公知技術となっている。しかしながら、該提案は、ヒートシール効果と勘合効果を利用して容器蓋の再封性を可能にしているが、上記
(d) 、(g)、(h) 、(i)の問題点が指摘されるものである。
【０００９】
また、上記の問題点を解決しようとする冠着構造と、イージーヒール構造と、キャップ状の皿状蓋体と、を備える食品包装容器が提案されている。例えば、上端が開口したカップ状の容器本体と、外側が前記容器本体の側壁上端縁に剥離可能に封着される封口シートと、側壁内周に前記容器本体の側壁上端縁外周に嵌め込み可能な円周溝が形成された皿状蓋体とからなる「食品包装容器」（特許文献５参照）が提案され、公知技術となっている。しかしながら、該提案は、封口シートと、皿状蓋体との二種類の包装部材を備えると共に、開封ならびに熱湯調理時においては、その両方の諸作業を行なわなければならず、さらに上記に示す(d) 、 (f)、(h) 、(i)の問題点を解決していないものである。また、図中４に示されるように、熱湯調理時において容器本体の開口部に皿状蓋体を逆さまにして係止することで再封性を得ることができるが、皿状蓋体と容器本体の嵌合面が、面状に密着していないことから密封性が低いことや、特に(ｋ)の問題点が指摘されるものであった。
【００１０】
以上のように従来の冠着型の即席食品容器は、再封性は良いが密封性が悪く、一方イージーヒール型の即席食品容器は、密封性は良いが再封性が悪いと言った相反する特性を持つものである。また嵌合式の即席食品容器は、容器素材が、主に紙を主体としているため嵌合部の剛性を維持することが難しい特性があるもので、現在市販されている即席食品容器は、容器本体から蓋体を開封した時の食材と具材の見た目の美しさと、薬味袋の開封作業を必要としない利便性の理由からイージーヒール型が多く採用されている。
【００１１】
しかしながら、それらのイージーヒール型の即席食品容器は、包装時の食品容器内に収容されている食材の封入性と、熱湯調理時の容器本体と蓋体との再封性と密封性を備える構造と、容器本体の転倒や直接麺を食する場合のやけどの危険性を防止する構造と、食品容器の使用後のリサイクル利用を可能とする構造と、ゴミ資源を削減する構造と、販売時の広告宣伝効果が得られる構造と、製造時のコスト削減が図れる構造を備えておらず、現在においても未だそれらの問題点を解決する術を備えていない。
【００１２】
本出願人は、従来の冠着型と、イージーヒール型と、嵌合式と、を採用する即席食品容器の中から、特に嵌合式の即席食品容器の蓋体内に収納空間部を設けることによって、蓋体自体の剛性と、おもちゃなどの販促景品を収納する構造と、熱湯によるやけどを防止する構造とを備え、さらに包装時の食材の封入性と、熱湯調理時の容器本体と蓋体の再封性ならびに密封性を備える即席食品容器を開発し、本発明における即席食品容器の提案に至るものである。
【先行技術文献】
【特許文献】
【００１３】
【特許文献１】実開平６-３５１７６号公報
【特許文献２】特開平９-２５３９号公報
【特許文献３】特開平６-１０００５０号公報
【特許文献４】特開２００４-１９６３０６号公報
【特許文献５】特開平１０-２１１９５３号公報
【発明の概要】
【発明が解決しようとする課題】
【００１４】
本発明は、上記問題点に鑑み、嵌合式の即席食品容器の蓋体内に収納空間部を設けることによって、蓋体自体の剛性と、おもちゃなどの販促景品を収納する構造と、熱湯によるやけどを防止する構造とを備え、さらに包装時の食材の封入性と、熱湯調理時の容器本体と蓋体の再封性ならびに密封性を備える即席食品容器の提供を図る。
【課題を解決するための手段】
【００１５】
本発明の即席食品容器は、即席麺などの食材を収納するテーパ状に形成される容器本体と、該容器本体に嵌合して納められる蓋体と、該容器本体と、蓋体と、を包装するフィルム包装体と、で構成される即席食品容器であって、前記蓋体は、上端部に鍔部を形成すると共に、下方に向かってテーパ状に縮形する収納空間部を有する筒状の嵌合壁と、該嵌合壁の内壁面に形成される蓋天板と、該蓋天板の周縁近くに設けられる通気孔を塞ぐ密封シールと、で構成されて成り、前記蓋体を前記容器本体に嵌合させて押し込むことにより、包装時の前記即席食品容器内に収容されている食材の封入性と、熱湯調理時の前記容器本体と前記蓋体の再封性ならびに密封性を備える手段を採る。
【００１６】
また本発明は、前記通気孔が、複数の湯切り用孔で形成される手段を採る。
【００１７】
また本発明は、前記蓋体のテーパ嵌合壁の外周面にヒートシールラッカーを帯状に塗布し、前記容器本体の内壁面に熱接着した手段を採る。
【００１８】
また本発明は、前記蓋体の鍔部下面の周縁にヒートシールラッカーを帯状に塗布し、前記容器本体の鍔部の上面に熱接着した手段を採る。
【発明の効果】
【００１９】
本発明の即席食品容器によれば、即席食品容器の蓋体内に収納空間部を設けることによって、該収納空間部を形成する蓋天板が、蓋体ならびにテーパ嵌合壁の補強リブの役割を果たすことによって蓋体自体の剛性を備えることができる優れた効果を奏する。
【００２０】
本発明の即席食品容器によれば、即席食品容器の蓋体内に収納空間部を形成するテーパ嵌合壁が設けられることによって、包装時の封入性と、熱湯調理時の再封性ならびに密封性を備えることができる優れた効果を奏する。
【００２１】
また、本発明の即席食品容器によれば、即席食品容器の蓋体内に収納空間部を形成するテーパ嵌合壁が設けられることによって、何度もリクローズできる再封性が得られることにより、一度に食事を完了させなくても済む優れた効果を奏する。
【００２２】
また、本発明の即席食品容器によれば、蓋体を仰向けにすることで取り皿や小皿として利用することができるもので、熱湯調理された食材を容器本体から直接食した場合、高温のスープによって口や舌がヤケドすることを防止する優れた効果を奏する。
【００２３】
また、本発明の即席食品容器によれば、容器本体のテーパ状の内壁面に蓋体のテーパ嵌合壁が嵌合されて押し込まれることによって、蓋体のテーパ嵌合壁が容器本体のテーパ状の内壁面に向かって付勢力が発生して強固に密封されるため、即席食品容器自体が転倒しても容器本体内の熱湯がこぼれ出すことがない優れた効果を奏する。
【００２４】
また、本発明の即席食品容器によれば、容器本体や蓋体が紙を主体とした素材を使用していることから、廃棄時の即席食品容器素材の資源再生が可能となると共に、家庭用ゴミとしての分別作業を必要としない優れた効果を奏する。
【００２５】
また、本発明の即席食品容器によれば、容器本体と蓋体を嵌合させて押し込む方式を採用しているため、即席食品容器製造時における蓋体のヒートシール工程が省略される優れた効果を奏する。
【００２６】
また、本発明の即席食品容器によれば、容器本体に溝や逆テーパ部などの複雑な形状が施されていないため、即席食品容器本体の製造コストの低廉が図れる優れた効果を奏する。
【００２７】
また、本発明の即席食品容器によれば、アルミ箔などの金属成分が含まれない蓋体で形成できることから、金属探知器による検査の厳格化が図れる優れた効果を奏する。
【００２８】
また、本発明の即席食品容器によれば、熱湯調理時に即席食品容器が転倒や傾いて熱湯やスープ、液状の調理素材などが漏れ出すことがないことから、生ラーメン、生うどん、蕎麦、焼きそば、スパゲッティ、カレーライス、シチュー、調理ご飯などが弁当仕出し店、ドライブイン、コンビニ、サービスエリアの飲食店などで店頭販売されるテイクアウト用やドライブスルー用の食品容器として利用できる優れた効果を奏する。
【００２９】
また、本発明の即席食品容器によれば、蓋体の上側収納空間部にトレーディングカード、クジ袋、ＰＲカード、キャラクターおもちゃ、試食品などを入れることにより、視覚的効果が高い宣伝広告手段が採れる優れた効果を奏する。
【００３０】
また、本発明の即席食品容器によれば、使用後の再利用がなされるもので、例えば、植木鉢、貯金箱、小物入れ、コースター、ペン立て、簡易如雨露、簡易昆虫籠などに利用することができる優れた効果を奏する。
【００３１】
また、本発明の即席食品容器によれば、蓋体のテーパ嵌合壁の外周面にヒートシールラッカーを帯状に塗布し、容器本体の内壁面に熱接着することによって、封入性と、再封性と、密封性が得られる優れた効果を奏する。
【００３２】
また、本発明の即席食品容器によれば、蓋体の鍔部下面の周縁にヒートシールラッカーを帯状に塗布し、容器本体の鍔部の上面に熱接着することによって、封入性と、再封性と、密封性が得られる優れた効果を奏する。
【図面の簡単な説明】
【００３３】
【図１】本発明の即席食品容器における実施形態を示す説明図である。（実施例１）
【図２】本発明の即席食品容器における嵌合時の拡大説明図である。（実施例２）
【図３】本発明の即席食品容器における蓋体の詳細構造を示す模式的説明図である。（実施例３）
【図４】本発明の即席食品容器における蓋体の別の実施形態を示す説明図である。（実施例４）
【図５】本発明の即席食品容器における別の実施形態を示す説明図である。（実施例５）
【図６】本発明の即席食品容器における別の実施形態を示す説明図である。（実施例６）
【図７】本発明の即席食品容器における食事時の使用手順を示す説明図である。（実施例７）
【図８】本発明の即席食品容器における別の実施形態を示す説明図である。（実施例８）
【図９】本発明の即席食品容器における別の実施形態を示す説明図である。（実施例９）
【発明を実施するための形態】
【００３４】
本発明の即席食品容器は、即席麺などの食材を収納するテーパ状に形成される容器本体と、該容器本体に嵌合して納められる蓋体と、該容器本体と、蓋体と、を包装するフィルム包装体と、で構成される即席食品容器であって、前記蓋体は、上端部に鍔部を形成すると共に、下方に向かってテーパ状に縮形される収納空間部を有する筒状のテーパ嵌合壁と、該テーパ嵌合壁の内壁面に形成される蓋天板と、該蓋天板の周縁近くに設けられる通気孔を塞ぐ密封シールと、で構成されて成り、前記蓋体を前記容器本体に嵌合させて押し込むことにより、包装時の前記即席食品容器内に収容されている食材の封入性と、熱湯調理時の前記容器本体と前記蓋体の再封性ならびに密封性を備える手段と、前記通気孔が、複数の湯切り用孔で形成される手段と、前記蓋体のテーパ嵌合壁の外周面にヒートシールラッカーを帯状に塗布し、前記容器本体の内壁面に熱接着した手段と、前記蓋体の鍔部下面の周縁にヒートシールラッカーを帯状に塗布し、前記容器本体の鍔部の上面に熱接着した手段を採ったことを最大の特徴とするもので、以下、実施例を図面を基に説明する。
【００３５】
また、本実施例で示される即席食品容器の容器本体ならびに蓋体の形態は、下記に述べる実施例に特に限定されるものでなく、本発明の技術的思想に逸脱しない範囲で任意に変更することができる。
【実施例１】
【００３６】
図１は、本発明の即席食品容器の蓋体における実施形態を示す説明図である。
図（a）は、包装時の全体斜視図を示し、図（ｂ）は、分離時の全体斜視図を示す。
本発明の即席食品容器１は、即席麺などの食材Ｓを収納するテーパ状に形成される立て型の容器本体１０と、該容器本体１０のテーパ状の内壁面１１に嵌合して押し込まれる形状を有する蓋体２０と、即席食品容器１全体を包装するフィルム包装体４０とで構成される。
【００３７】
容器本体１０の素材は、紙を主体として紙/ポリエチレン、ポリエチレン/紙/ポリエチレンを組み合わせた多層材料の素材で成型加工されている。
【００３８】
図（ｃ）は、分離時の切断端面図を示す。
容器本体１０は、即席麺などの食材Ｓを収納する容積を有してテーパ状のカップ型に形成し、蓋体２０によって嵌合されて押し込まれる形状を有する。
【００３９】
図（ｄ）は、合体時の拡大切断端面図を示す。
容器本体１０のテーパ状の内壁面１１には、図に示されるように、蓋体２０のテーパ嵌合壁２２が嵌合して押し込まれるため、容器本体１０と蓋体２０が食材Ｓを封入して密封する構造で形成されている。つまり、フィルム包装体４０を開封する前は、フィルム包装体４０の熱収縮力と、蓋体２０のテーパ嵌合壁２２が容器本体１０のテーパ状の内壁面１１に嵌合されて押し込まれることで外方向に働く付勢力とで封入性が維持され、フィルム包装体４０を開封した後は、蓋体２０のテーパ嵌合壁２２が、容器本体１０のテーパ形状の内壁面１１に嵌合されて押し込まれることで外方向に働く付勢力で密封性が維持され、その後、蓋体２０のリクローズが自由にできるものである。
【００４０】
蓋体２０は、上端部２１に鍔部２９を形成すると共に、下方に縮径する筒状のテーパ嵌合壁２２と、該テーパ嵌合壁２２の内壁面２３の内側に収納空間部２４が設けられ、該収納空間部２４は、上部収納空間部２４aと下部収納空間部２４ｂを仕切る蓋天板２６と、で形成され、テーパ嵌合壁２２の上部開口径２２aが、容器本体１０の上部開口径１１aに対して大径に形成し、蓋天板２６の周縁付近には、密封シール２８で塞がれる通気孔２７を設けて成り、蓋体２０が、容器本体１０のテーパ状の内壁面１１に嵌合して外方向に付勢することで、蓋体２０と容器本体１０を強固に密封する構造を有する。また、容器本体１０の上端部１２から大きく膨出しない状態で容器本体１０の内側空間部２５内に納まる構造を有するため、即席食品容器１全体の容積を上方に大きく突出することなく形成されると共に、従来の容器本体１０内に熱湯を注ぐ調理空間である内側空間部２５の有効利用が図れるものである。
【００４１】
蓋体２０の素材は、容器本体１０の素材と同じく紙を主体として紙/ポリエチレン、ポリエチレン/紙/ポリエチレンを組み合わせた多層材料で形成され、容器本体１０のテーパ状の内壁面１１に嵌合して押し込むことができる寸法形状で形成されている。
【００４２】
蓋体２０の上端部２１は、鍔部２９を形成すると共に、容器本体１０のテーパ状の内壁面１１に嵌合させて最大限に押し込んだ場合、その鍔部２９が容器本体１０の鍔部１３と当接される形状を有する。
【００４３】
テーパ嵌合壁２２は、容器本体１０の上部開口径１１aに対して大径として下方に向かって縮径する筒状に形成され、容器本体１０のテーパ形状の内壁面１１に当接して嵌合される。さらに上方から力を加えて押し込むことで、蓋体２０のテーパ嵌合壁２２が容器本体１０のテーパ状の内壁面１１の外方向に向かって付勢力が発生することになり、最終的に蓋体２０のテーパ嵌合壁２２と容器本体１０のテーパ状の内壁面１１が密接に当接することによって、容器本体１０内の食材Ｓが、蓋体２０で封入されて密封されるものである。
【００４４】
収納空間部２４は、蓋体２０の内壁面２３の内側に形成されるもので、収納空間部２４を仕切る蓋天板２６が、蓋体２０ならびにテーパ嵌合壁２２の補強リブの役割を果たすことによって蓋体２０自体の剛性を備える収納空間を形成している。
【００４５】
上部収納空間部２４aは、蓋体２０の内壁面２３の内側を蓋天板２６で上部と下部に仕切ることによって形成される即席食品容器１の外観部に露出する上側の収納空間部で、販促宣伝カードＨやキャラクターおもちゃなどの販促品が、容器本体１０内に収まる形状を形成している。
【００４６】
下部収納空間部２４ｂは、蓋体２０の内壁面２３の内側を蓋天板２６で上部と下部に仕切ることによって形成される即席食品容器１の内部に設けられる下側の収納空間部で、熱湯調理時に発生する湯気の滴受けとしてや、食事時の取り皿や小皿５２として使用することができる形状を形成している。
【００４７】
蓋天板２６は、蓋体２０のテーパ嵌合壁２２の内壁面２３の内側に形成される収納空間部２４の上部と下部に仕切る天板である。
【００４８】
通気孔２７は、容器本体１０に蓋体２０を押し込む時の内側空間部２５の空気抜きの孔であって、容器本体１０に蓋体２０を押し込む時は、密封シール２８を半開きの状態に剥がして空気抜きを行い、調理時や食事時は、塞いだ状態で使用される。
【００４９】
フィルム包装体４０は、即席食品容器１全体を包装する透明なプラスチックフィルムで形成され、熱収縮性によって即席食品容器１全体をシュリンク包装するものである。また、容器本体１０のテーパ状の内壁面１１に嵌合されて押し込まれた蓋体２０を、フィルム自体の包装時の熱収縮力を利用して外部から押さえ込むもので、即席食品容器１内の食材Ｓの封入性を維持する役割も果たしている。
【実施例２】
【００５０】
図２は、本発明の即席食品容器における嵌合時の拡大説明図である。
図（a）は、蓋体２０が容器本体１０に押し込まれる前の状態を示す。
蓋体２０の下部開口径２２bは、容器本体１０の上部開口径１１aより小径で形成され、他方、蓋体２０の上部開口径２２aは、容器本体１０の上部開口径１１aより大径で形成されているため、蓋体２０の下部開口径２２bは、容器本体１０の上部開口径１１a内に嵌め込むことができる。
【００５１】
所要寸法の一例を挙げると、容器本体１０は、高さ110ｍｍ、上部開口径１１a（内寸）89ｍｍ、下部開口径１１b（内寸）65ｍｍ、厚さ1ｍｍで形成される。また、蓋体２０は、高さ20〜25ｍｍ、上部開口径２２a（外寸）89ｍｍ（+1〜2ｍｍ）、下部開口径２２ｂ（外寸）略85ｍｍ（+1〜2ｍｍ）、厚さ1ｍｍで容器本体１０のテーパ状の内壁面１１に嵌合して押し込むことができる寸法形状で形成される。
【００５２】
図（ｂ）は、蓋体２０を容器本体１０に押し込んで嵌合している状態を示す。
蓋体２０のテーパ嵌合壁２２が、容器本体１０の内壁面１１に沿って嵌合しながら降下していき、蓋体２０の上部開口径２２aと容器本体１０の上部開口径１１aの開口径が一致した位置で停止する。（通常の嵌合状態）
【００５３】
図（ｃ）は、蓋体２０を容器本体１０にさらに押し込んで外方向に付勢している状態を示す。
上記の嵌合状態から、さらに蓋体２０の上方から力を加えて蓋体２０を容器本体１０内に押し込むと、蓋体２０のテーパ嵌合壁２２が、外方向の容器本体１０の内壁面１１に付勢して蓋体２０と容器本体１０を強固に密封するものである。
【００５４】
その強固に密封される状態を本発明の各部の呼称と対応させて説明すると、従来の嵌合部を有する冠着型の即席食品容器１は、蓋体２０の上端部２１の上部開口径２２aが、容器本体１０の上端部１２の上部開口径１１aに対して開口径を同一または小径として嵌合している。さらに蓋体２０の上端部２１の鍔部２９が容器本体１０の上端部１２の鍔部１３に被冠していることで、蓋体２０が、下方に降下して嵌合度合いを強める動きを制限していることから、蓋体２０と容器本体１０の嵌合状態は、常に互いの嵌合面が隙間を有して当接し、鍔部１３，２９同士で係止若しくは被冠している状態に過ぎないものであって、従来の嵌合部を有する冠着型の即席食品容器の多くは本構造を採用している。
【００５５】
それに対して本発明の即席食品容器１は、蓋体２０の上端部２１の上部開口径２２aが、容器本体１０の上端部１２の上部開口径１１aに対して開口径を大径として嵌合しているもので、蓋体２０の上端部２１の鍔部２９が、容器本体１０の上端部１２の鍔部１３の上方に位置して下方に押し込む余地をテーパ嵌合壁２２の上方に残していることから、蓋体２０を容器本体１０のテーパ状の内壁面１１に嵌合している状態からさらに下方に押し込むことができるため、蓋体２０のテーパ嵌合壁２２が、外方向（容器本体の方向）に付勢して容器本体１０の内壁面１１に隙間がない状態で強固に密封することができるものであって、本発明の蓋体２０の嵌合・押込み構造は、冠着型の被冠ならびに嵌合構造や、従来のイージーヒール型の開封構造とは、大きく構造を異にして形成されるものである。
【実施例３】
【００５６】
図３は、本発明の即席食品容器における蓋体の詳細構造を示す模式的説明図である。
図（a）は、蓋体２０が紙を主体とする素材を使用した状態を示す切断端面図を示す。
蓋体２０の素材は、容器本体１０の素材と同じく紙を主体として紙/ポリエチレン、ポリエチレン/紙/ポリエチレンを組み合わせた多層材料で貼り合わされて形成され、容器本体１０のテーパ状の内壁面１１に嵌合して押し込むことができる寸法形状で形成されている。構造的には、容器本体１０と同様な製造工程を経て製造されることから、製造時のコストダウンが図られ、テーパ嵌合壁２２の内壁面２３内の収納空間部２４に蓋天板２６が形成されていることから剛性的にも嵌合して押し込む強度に耐えられるものである。
【００５７】
図（ｂ）は、蓋体２０が合成樹脂素材を使用した状態を示す切断端面図を示す。
蓋体２０の素材は、プラスチック合成樹脂による単層材料で形成され、容器本体１０のテーパ状の内壁面１１に嵌合して押し込むことができる寸法形状で形成されている。構造的には、射出成型で一体的に成型され、大量生産を可能にすることから、製造時のコストダウンが図られ、剛性的にも嵌合して押し込む強度に耐えられるものであるが、合成樹脂素材を使用していることから資源の有効活用が図れないため、本発明における参考実施例として記述するに留める。
【実施例４】
【００５８】
図４は、本発明の即席食品容器における蓋体の別の実施形態を示す説明図である。
図（a）は、収納空間部２４を仕切る蓋天板２６を上端部２１付近に設けた状態を示す切断端面図を示す。
上部収納空間部２４aの収容容積を小さく取り、下部収納空間部２４ｂの収容容積を大きく取ったもので、上部収納空間部２４aには、比較的形状が薄い販促宣伝カードＨや、トレーディングカードなどの販促景品Ｋが納められ、下部収納空間部２４ｂは、底の深い取り皿や小皿５２として使用することができる。
【００５９】
図（ｂ）は、収納空間部２４を仕切る蓋天板２６を中間部付近に設けた状態を示す切断端面図を示す。
上部収納空間部２４aと、下部収納空間部２４ｂの収容容積を同じくしたもので、上部収納空間部２４aには、キャラクターおもちゃなどの販促景品Ｋが納められ、下部収納空間部２４ｂは、取り皿や小皿５２として使用することができる。
【００６０】
図（ｃ）は、収納空間部２４を仕切る蓋天板２６を上端部２１に設けた状態を示す切断端面図を示す。
下部収納空間部２４ｂの収容容積を大きく取って上端面を平坦にしたもので、即席食品容器１自体を外観上スタンダードな形状とするもので、従来の即席食品容器と略外形形状を同じくするものである。
【実施例５】
【００６１】
図５は、本発明の即席食品容器における別の実施形態を示す説明図である。
図（a）は、即席食品容器１を構成する容器本体１０と蓋体２０を示す全体斜視図である。
本発明の即席食品容器１は、ヒートシールラッカー４１を蓋体２０のテーパ嵌合壁２２の外周面に帯状に塗布し、ヒートシール加工を施して容器本体１０の内壁面１１に熱接着した構造で形成されている。尚、ヒートシールラッカーが塗布される面は、当接される容器本体１０と蓋体２０の両方または何れかの面に塗布することを特に指定するものではない。
【００６２】
図（ｂ）は、即席食品容器１を構成する容器本体１０と蓋体２０の塞蓋状態示す切断端面図である。
前述（段落55）で説明したように、蓋体２０のテーパ嵌合壁２２が、外方向（容器本体の方向）に付勢して容器本体１０の内壁面１１に隙間がない状態で密着している状態から、さらにヒートシールラッカー４１をテーパ嵌合壁２２の外周面に帯状に塗布し、容器本体１０と蓋体２０とをヒートシール加工によって密閉する手段を採ることで、外部との空気を完全に遮断することにより、食材Ｓの酸化による劣化を防ぐことができるものであり、請求項１記載の実施形態より増して容器本体１０と蓋体２０の封入性と再封性が得られるものである。
【００６３】
また、開封時ならびに再封時は、片方の手で容器本体１０を掴み、もう片方の手で蓋体２０を掴んで捩じ上げたり、捩じ込んだりすることによって容器本体１０と蓋体２０を容易に分離したり、再入したりすることができるもので、嵌合と押し込みによってある一定の封入性と密封性が維持されているため、外部との空気を遮断することを目的とするヒートシールの粘着性は、従来のような粘着面積や粘着強度を特に必要としない。
【００６４】
さらに、蓋体２０の鍔部２９の周縁に凹凸部を設けたり、容器本体１０の鍔部１３に対して蓋体２０の鍔部２９の外形をやや大きくしたりして捩じり易くする構造を採ることもできる。
【実施例６】
【００６５】
図６は、本発明の即席食品容器における別の実施形態を示す説明図である。
図（a）は、即席食品容器１を構成する容器本体１０と蓋体２０を示す全体斜視図である。
本発明の即席食品容器１は、ヒートシールラッカー４１を蓋体２０の鍔部２９の下面の周縁に帯状に塗布し、ヒートシール加工を施して容器本体１０の鍔部１３の上面に熱接着した構造で形成されている。尚、ヒートシールラッカーが塗布される面は、当接される容器本体１０と蓋体２０の両方または何れかの面に塗布することを特に指定するものではない。
【００６６】
図（ｂ）は、即席食品容器１を構成する容器本体１０と蓋体２０の塞蓋状態示す切断端面図である。
前述（段落55）で説明したように、蓋体２０のテーパ嵌合壁２２が、外方向（容器本体の方向）に付勢して容器本体１０の内壁面１１に適度に嵌合している状態において、容器本体１０の鍔部１３と、蓋体２０の鍔部２９にヒートシールラッカー４１を塗布することで外部との空気を完全に遮断すると共に、食材Ｓの酸化による劣化を防ぐことができるものであり、請求項１記載の実施形態より増して容器本体１０と蓋体２０の封入性と再封性が得られるものである。
【００６７】
また、開封時ならびに再封時は、片方の手で容器本体１０を掴み、もう片方の手で蓋体２０を掴んで捩じ上げたり、捩じ込んだりすることによって容器本体１０と蓋体２０を容易に分離したり、再入したりすることができるもので、嵌合と押し込みによってある一定の封入性と密封性が維持されているため、外部との空気を遮断することを目的とするヒートシールの粘着性は、従来のような粘着面積や粘着強度を特に必要としない。
【００６８】
また、蓋体２０の鍔部２９の周縁に凹凸部を設けたり、容器本体１０の鍔部１３に対して蓋体２０の鍔部２９の外形をやや大きくしたりして捩じり易くする構造を採ることもできる。
【００６９】
また、容器本体１０の鍔部１３の上面と、蓋体２０の鍔部２９の下面が熱溶着で当接されることから、蓋体２０の上部開口径２２aと下部開口径２２ｂの寸法は、請求項１から請求項３の寸法と比較してやや小さく形成されるもので、容器本体１０の鍔部１３の上面と、蓋体２０の鍔部２９の下面が当接される寸法形状ならびに寸法公差が優先されて設計されるものであるが、容器本体１０に蓋体２０を嵌合し、押し込んだ状態でヒートシール加工する場合は、差程厳格な寸法公差は要求されない。
【００７０】
本実施例の即席食品容器１は、紙を主体とした多層材料で形成され、さらに剛性を備える蓋体２０で構成される食品容器であることから、従来の捲れ易いイージーヒール型の即席食品容器が抱える多くの問題点を一挙に解決することができるものである。
【００７１】
以上のように、実施例５ならびに実施例６における密封性を目的として熱接着されるヒートシール手段を、蓋体２０の脱落防止を目的とするスポット熱接着とする手段とすることで、嵌合による容器本体１０と蓋体２０の嵌め合い状態を確実に確保できる手段とすることもできる。
【実施例７】
【００７２】
図７は、本発明の即席食品容器における食事時の使用手順を示す説明図である。
（1）即席食品容器を準備する。
食材Ｓが収納された容器本体１０に蓋体２０を被せ、該蓋体２０の上部収納部２４に景品Ｋを収納し、フィルム包装体４０でシュリンク包装した販売商品である。蓋体２０は、蓋体２０の上からフィルム包装体４０でシュリンク包装されているため、容器本体１０の嵌合状態を維持し、且つ離脱することなく封入されている。
（2）蓋体を開ける。
フィルム包装体４０を開封し、販促景品Ｋを取り出し、容器本体１０から蓋体２０を開ける。
（3）熱湯を注ぐ。
即席食品容器１の食材Ｓが熱湯調理される指定位置まで熱湯を注ぐ。
（4）蓋体を閉じる。
蓋体２０の通気孔２７を塞ぐ密封シール２８を半開きの状態にして蓋体２０で容器本体１０を塞ぐ。（容器本体１０の内側空間部２５の空気抜きを行なう）
（5）熱湯調理する。
蓋体２０の通気孔２７を密封シール２８で塞ぎ、指定の熱湯調理時間で調理する。蓋体２０の再封性と密封性によって熱湯調理中に即席食品容器１を倒した場合においても手や足にヤケドを負うことがない。
（6）蓋体を開ける。
片方の手で容器本体１０を掴み、もう片方の手で蓋体２０を掴んで捩じ上げるように開けると開けやすい。
（7）食材を食する。
熱湯調理された食材Ｓを容器本体１０から直接食する場合、蓋体２０を取り皿や小皿５２として利用することで口や舌にヤケドを負うことがない。
（8）リサイクル利用する。（その１）
食事が終了したら容器本体１０と蓋体２０を洗って卓上の植木鉢５０としてリサイクル利用するもので、容器本体１０の底部に円形の切り込みを入れ、その切込みを突き破って水抜き穴とし、容器本体１０に土と草花を植え込み、蓋体２０を水受け皿として使用する。
（9）リサイクル利用する。（その２）
食事が終了したら容器本体１０と蓋体２０を洗って貯金箱５１としてリサイクル利用するもので、蓋体２０の中央にコイン状の矩形の切り込みを入れ、その切込みを突き破ってコイン投入口とし、容器本体１０と蓋体２０とをセロハンテープで封着して使用する。
【００７３】
上記の（8）、（9）のように即席食品容器１のリサイクル利用を図る上で、容器本体１０に印刷されるこれまでの商品ロゴＲや注意書きは、容器本体１０をロール状に覆う紙体または透明のフィルム包装体４０に印刷されることが望ましく、従来の即席食品容器１の使用寿命に対して、今後はリサイクルにおける有効利用寿命を考慮した即席食品容器１の印刷手段が望まれるものである。例えば、容器本体１０をパステルカラーに着色したり、シンプルなロゴデザインを施すことで消費者の嗜好にあったデザインや色彩を取り入れることにより、結果的に長く使用され認知されることになり、目先の宣伝効果に捉われることなく愛着を持たれながら長期間に亘って宣伝することができるものである。
【実施例８】
【００７４】
図８は、本発明の即席食品容器における別の実施形態を示す説明図である。
図（a）は、密封シール３１を剥がした状態図を示し、図（ｂ）は、湯切り時の状態図を示す。
焼きソバ、スパゲッティ、生めんなどの湯切り調理する時の密封シール３１と湯切り用孔３０を設けた即席食品容器１として使用するもので、蓋体２０の設けられる湯切り用孔３０は、請求項1記載の通気孔２７と兼用されるものである。
【実施例９】
【００７５】
図９は、本発明の食品容器における別の実施形態を示す説明図である。
図（a）は、即席食品容器１が、テイクアウト用のフィルム包装体４０で簡易包装された全体図を示す。
生ラーメン、生うどん、蕎麦、焼きそば、スパゲッティ、カレーライス、シチュー、調理ご飯などが弁当仕出し店、ドライブイン、コンビニ、サービスエリアの飲食店などで店頭販売されるテイクアウト用の食品容器６０としてドライブ中や車両内で利用することができるものである。また、即席食品容器1をフィルム包装体４０で簡易パウチ包装することによって封入性ならびに密封性が維持されるため、店頭販売でのテイクアウト用の食品容器６０として食材Ｓを溢すことなく安全に引き渡すことができるものである。
【００７６】
図（ｂ）は、即席食品容器１がテーパ形状の四角形体で形成された全体図を示す。
即席焼きそば、即席スパゲッティなど湯切りを必要とするテイクアウト用の角型の食品容器６０としてドライブ中や車両内で利用できるものである。
【００７７】
図（ｃ）は、食品容器１がテーパ形状のどんぶり型で形成された全体図を示す。
生ラーメン、生うどん、蕎麦、焼きそば、スパゲッティ、カレーライス、シチュー、牛丼、カツ丼、うな丼、どんぶり定食、おでんなどあらゆる料理（特に水分を多く含んだ料理）のテイクアウト用のどんぶり型の食品容器６０として利用できるものである。
【００７８】
図（ｄ）、図（e）は、食品容器１がテーパ形状の弁当型で形成された全体図を示す。
弁当、駅弁、寿司、惣菜などの食品容器６０として利用できるものである。
【産業上の利用可能性】
【００７９】
本発明の即席食品容器は、嵌合式の即席食品容器の蓋体内に収納空間部を設けることによって、包装時の食品容器内に収容されている食材の封入性と、熱湯調理時の容器本体と蓋体の再封性と、密封性を備える構造と、食品容器の使用後のリサイクル利用を可能とする構造と、販売時の広告宣伝効果が得られる構造を備える即席食品容器であると共に、テイクアウト用やドライブスルー用の食品容器として利用できることから、本発明における即席食品容器の産業上の利用可能性は大とするものと解する。
【符号の説明】
【００８０】
１    即席食品容器
１０  容器本体
１１  内壁面
１１a上部開口径
１１ｂ下部開口径
１２  上端部
１３  鍔部
２０  蓋体
２１  上端部
２２  テーパ嵌合壁
２２a上部開口径
２２b下部開口径
２３  内壁面
２４  収納空間部
２４a上部収納空間部
２４b下部収納空間部
２５  内側空間部
２６  蓋天板
２７  通気孔
２８  密封シール
２９  鍔部
３０  湯切り用孔
３１  密封シール
４０  フィルム包装体
４１  ヒートシールラッカー
５０  植木鉢
５１  貯金箱
５２  取り皿、小皿
６０  食品容器  
Ｓ    食材
Ｋ    販促景品
Ｈ    販促宣伝カード
Ｒ    商品ロゴ
【図１】
2011046450.tif 000003
【図２】
2011046450.tif 000004
【図３】
2011046450.tif 000005
【図４】
2011046450.tif 000006
【図５】
2011046450.tif 000007
【図６】
2011046450.tif 000008
【図７】
2011046450.tif 000009
【図８】
2011046450.tif 000010
【図９】
2011046450.tif 000011